【手続補正書】
【提出日】平成22年1月22日(2010.1.22)
【手続補正１】
【補正対象書類名】特許請求の範囲
【補正対象項目名】請求項１
【補正方法】変更
【補正の内容】
【請求項１】
縦にした外枠（３）の中に石炭又は微粉炭を任意の方向に移動させるにはそれに合った任意の形の板を回転させて任意の所から石炭又は微粉炭を飛散させ、外枠の上部又は中程部又は下部に石炭又は微粉炭を入れて上記石炭又は微粉炭を入れた所以外の所に遠心硫黄分離器が高速回転して石炭又は微粉炭が飛び出す飛び出し間（４）、（６）を外枠で上部から石炭又は微粉炭を入れた時は飛び出し間は中程部又は下部に設け、石炭又は微粉炭を中程部から入れる時は飛び出し間を外枠の上部又は下部に設け石炭又は微粉炭を下部より入れる時は外枠の中程部又は上部に飛び出し間を設けて遠心硫黄分離器を高速回転させて
飛び出し間から遠くに飛んだ石炭又は微粉炭と近くに飛んだ石炭又は微粉炭に分け硫黄分の多い石炭又は硫黄分の多い微粉炭と硫黄分の少ない石炭又は硫黄分の小ない微粉炭に分ける事を特徴とした遠心硫黄分離器。
【手続補正２】
【補正対象書類名】明細書
【補正対象項目名】０００５
【補正方法】変更
【補正の内容】
【０００５】硫黄の方が石炭より重いので遠心硫黄分離器にかけると硫黄は硫黄分の多い石炭又は硫黄分の多い微粉炭は遠くに飛び、石炭又は硫黄分の少ない石炭又は硫黄分の少ない微粉炭は近くに落ちるので分離できる。近くに落ちた硫黄分の小ない石炭又微粉炭を使用する。出来れば近くに落ちた高精度の石炭又は微粉炭を何回か遠心硫黄分離器にかけてさらに精度を高めて使用し、又は精度の高まった石炭を微粉炭にして遠心硫黄分離器に何回かかけて精度を高めて使用そして遠くに落ちた硫黄分の多い石炭又は微粉炭を何回か遠心硫黄分離器にかけて高精度の石炭又は微粉炭にして使用する。遠くに飛んだ石炭を微粉炭にして遠心硫黄分離器にかけて近くに落ちた物を使用又は何回か遠心硫黄分離器にかけて石炭分の精度を高めて使用し、遠くに飛んだ微粉炭を何回か遠心硫黄分離器にかけて石炭分の精度を高めて使用する。
【手続補正３】
【補正対象書類名】明細書
【補正対象項目名】０００７
【補正方法】変更
【補正の内容】
【０００７】微粉炭又は石炭を外枠１３、３２、１９の中段あたりに設けた１回転開口部を設けて石炭を入れる場合は上に広がる石炭受１６、１７、３０、２５を設け石炭受けは外枠に固定して１体回転又は石炭受けは外枠は力の伝動しない断絶とし石炭受けを石炭引き寄せ２８、３６、３５、３４、５７、６３を１体化又は石炭受けと石炭引き寄せは力の伝動しない断絶とし石炭引き寄せは回転方向に先端の方が曲がりそして先端部の方で外枠の外側及び石炭受けの下部の外側より外側に石炭寄せの上端の先端を石炭寄せの回転方向に曲げて石炭引き込み部２８Ａ、３４Ａ、６２Ａを設け石炭を外枠の中程部の空間を通して上部に移動させて上部から高速回転させた遠心硫黄分離器から石炭又は微粉炭を飛散させるには石炭引き寄せに略スクリュー、３１又はスクリューを固着してそして石炭引き寄せと縦回転軸１１、と固着しそして略スクリュー又はスクリューと縦回軸１１と固着し、略スクリュー又はスクリューは外枠と固着又は断絶し略スクリュー又はスクリューは外枠と断絶した時は外枠を回転軸と断絶した天端板１０に支持させる天端板は外力により支持させる。又石炭又は微粉炭を外枠５３、の下部より入れる時は外枠の下部に１回転開口部を設けて回転軸５２に石炭引き寄せを固着して先端部を１回転開口部より出して外枠より出した石炭引き寄せの上部に石炭引き寄せの回転方向に先端部を曲げで石炭引き込み部を設け石炭引き寄せにスクリュー６２又は略スクリュー５５を固着してそしてスクリュー又は略スクリューと回転軸を固着し、上に広がった石炭受けに下部板５８を回転自由に支持し又は固着し、石炭受けと石炭引き寄せの間に板をかませるか又は石炭引き寄せと下部板の間に板をかませる。外枠の上部に設けた飛び出間から出た石炭又は微粉炭は下部の石炭受けより外側に飛ばすようにする。これは石炭又は微粉炭を外枠の中程に１回転開口部を設けて入れた仕組にも使える。
【手続補正４】
【補正対象書類名】明細書
【補正対象項目名】０００９
【補正方法】変更
【補正の内容】
【０００９】
【図１】遠心硫黄分離器の断面図。
【図２】Ａ−Ａ断面図
【図３】遠心硫黄分離器の断面図。
【図４】Ｂ−Ｂ断面図
【図５】Ｄ−Ｄ断面図
【図６】Ｅ−Ｅ断面図
【図７】Ｃ−Ｃ断面図
【図８】Ｆ−Ｆ断面図
【図９】Ｇ−Ｇ断面図
【図１０】遠心硫黄分離器の断面図
【図１１】Ｈ−Ｈ断面図
【図１２】Ｉ−Ｉ断面図
【図１３】Ｊ−Ｊ断面図
【手続補正５】
【補正対象書類名】明細書
【補正対象項目名】００１０
【補正方法】変更
【補正の内容】
【００１０】１      プレート
２      回転軸
３      外枠
４、６  飛び出し間
５      底板
天端板        １０、５０
スクリュー    １２、６２
外枠          １３、３２、１９、５３
略スクリュー  ３１、５５
石炭入れ      １４、１５、２７、２９、５４、６０
石炭受け      １６、３０、５６、５９、１７、２５
つなぎ        ３７、３８、６４、６５
石炭引き寄せ  ３６、２８、３５、３４、５７、６３、
飛び出し間    ２０、２２、３３、６１、５１
略縦板        ２３、２４
回転軸        １８、１１、５２
のせ板        ２６
底板          ５８
石炭引き込み  ２８Ａ、６２Ａ、３４Ａ
【手続補正６】
【補正対象書類名】図面
【補正対象項目名】図３
【補正方法】追加
【補正の内容】
【図３】
2009057532.tif 000001
【手続補正７】
【補正対象書類名】図面
【補正対象項目名】図４
【補正方法】追加
【補正の内容】
【図４】
2009057532.tif 000002
【手続補正８】
【補正対象書類名】図面
【補正対象項目名】図５
【補正方法】追加
【補正の内容】
【図５】
2009057532.tif 000003
【手続補正９】
【補正対象書類名】図面
【補正対象項目名】図６
【補正方法】追加
【補正の内容】
【図６】
2009057532.tif 000004
【手続補正１０】
【補正対象書類名】図面
【補正対象項目名】図７
【補正方法】追加
【補正の内容】
【図７】
2009057532.tif 000005
【手続補正１１】
【補正対象書類名】図面
【補正対象項目名】図８
【補正方法】追加
【補正の内容】
【図８】
2009057532.tif 000006
【手続補正１２】
【補正対象書類名】図面
【補正対象項目名】図９
【補正方法】追加
【補正の内容】
【図９】
2009057532.tif 000007
【手続補正１３】
【補正対象書類名】図面
【補正対象項目名】図１０
【補正方法】追加
【補正の内容】
【図１０】
2009057532.tif 000008
【手続補正１４】
【補正対象書類名】図面
【補正対象項目名】図１１
【補正方法】追加
【補正の内容】
【図１１】
2009057532.tif 000009
【手続補正１５】
【補正対象書類名】図面
【補正対象項目名】図１２
【補正方法】追加
【補正の内容】
【図１２】
2009057532.tif 000010
【手続補正１６】
【補正対象書類名】図面
【補正対象項目名】図１３
【補正方法】追加
【補正の内容】
【図１３】
2009057532.tif 000011